(57)【要約】【課題】負荷電圧を調整するための低コスト構成部品を使用している新規のＬＥＤドライバ回路を提案すること。【解決手段】ＬＥＤドライバ回路が、電流調整回路と、トランジスタと、バイアスネットワークと、ＬＥＤモジュールとを有し、ＬＥＤモジュールは少なくとも２つの接続ノードを有し、一方の端部の接続ノードはライン電圧に結合されており、他方の端部の接続ノードはトランジスタの第１の端部に結合されており、少なくとも２つの接続ノードの１つは前記バイアスネットワークの第１の端部に結合されており、電流調整回路の第１の端部と第２の端部との間の電圧差が、第１の電流が減少／増加すると前記電圧差が大きく／小さくなるように第１の電流に応じて生成されることからなる。【選択図】図４
2012039069.tif 000002
【特許請求の範囲】
【請求項１】
第１の端部と第２の端部とを有し、第１の電流が前記第２の端部に流入し、前記第１の端部と前記第２の端部との間の電圧差が、前記第１の電流が減少／増加すると前記電圧差が大きく／小さくなるように前記第１の電流に応じて生成される電流調整回路と、
第１の端部と、第２の端部と、第３の端部とを有し、前記第２の端部は前記電流調整回路の前記第１の端部に結合されており、前記第３の端部は前記電流調整回路の第２の端部に結合されているトランジスタと、
第１の端部と第２の端部とを有し、前記第２の端部は前記トランジスタの前記第２の端部に結合されているバイアスネットワークと、
少なくとも２つの接続ノードを有し、一方の端部の前記接続ノードはライン電圧に結合されており、他方の端部の前記接続ノードは前記トランジスタの前記第１の端部に結合されており、少なくとも２つの前記接続ノードの１つは前記バイアスネットワークの前記第１の端部に結合されているＬＥＤモジュールと、
を有する新規のＬＥＤドライバ回路。
【請求項２】
前記電流調整回路はシャントレギュレータと電流検知抵抗とを有している、請求項１に記載の新規のＬＥＤドライバ回路。
【請求項３】
前記電流調整回路は電圧から電流への変換用の抵抗とＬＤＯレギュレータとを有している、請求項１に記載の新規のＬＥＤドライバ回路。
【請求項４】
前記トランジスタはエンハンスモードＮＭＯＳトランジスタまたはＮＰＮトランジスタである、請求項１に記載の新規のＬＥＤドライバ回路。
【請求項５】
前記バイアスネットワークは抵抗を有している、請求項１に記載の新規のＬＥＤドライバ回路。
【請求項６】
第１の端部と、第２の端部と、第３の端部とを有し、第１の電流が前記第２の端部に流入し、第２の電流が前記第３の端部に流入し、前記第１の端部と前記第２の端部との間の電圧差は前記第１の電流と前記第２の電流との和が減少／増加すると前記電圧差が大きく／小さくなるように前記第１の電流と前記第２の電流との前記和に応じて発生する電流調整回路と、
第１の端部と、第２の端部と、第３の端部とを有し、前記第２の端部は前記電流調整回路の前記第１の端部に結合されており、前記第３の端部は前記電流調整回路の前記第２の端部に結合されているトランジスタと、
第１の端部と第２の端部とを有し、前記第２の端部は前記トランジスタの前記第２の端部に結合されているバイアスネットワークと、
少なくとも２つの接続ノードを有し、一方の端部の前記接続ノードはライン電圧に結合されており、他方の端部の前記接続ノードは前記トランジスタの前記第１の端部に結合されており、少なくとも２つの前記接続ノードの１つは前記バイアスネットワークの前記第１の端部に結合されているＬＥＤモジュールと、
前記ライン電圧に結合されている第１の端部と、前記電流調整回路の前記第３の端部に結合されている第２の端部とを有しているバイパスネットワークと、
を有する新規のＬＥＤドライバ回路。
【請求項７】
前記電流調整回路はツェナーダイオードとシャントレギュレータと電流検知抵抗とを有している、請求項６に記載の新規のＬＥＤドライバ回路。
【請求項８】
前記電流調整回路はツェナーダイオードと電圧から電流への変換用の抵抗とＬＤＯレギュレータとを有している、請求項６に記載の新規のＬＥＤドライバ回路。
【請求項９】
前記トランジスタはエンハンスモードＮＭＯＳトランジスタまたはＮＰＮトランジスタである、請求項６に記載の新規のＬＥＤドライバ回路。
【請求項１０】
前記バイアスネットワークは抵抗を有しており、前記バイパスネットワークは抵抗を有している、請求項1に記載の新規のＬＥＤドライバ回路。
【発明の詳細な説明】
【技術分野】
【０００１】
本発明はＬＥＤドライバ回路に関し、特に減光可能なＬＥＤ照明用途に対して調整された負荷電流とトライアック保持電流とを提供できるＬＥＤドライバ回路に関する。
【背景技術】
【０００２】
交流電源を利用しているＬＥＤ照明用途において、ＬＥＤモジュールに対する負荷電流は、安定した照明を提供するためだけでなく、ＬＥＤモジュールを保護するためにも調整しなければならない。
【発明の概要】
【発明が解決しようとする課題】
【０００３】
図１は、簡単な構成を有している従来技術のＬＥＤドライバ回路を示している。図１に示しているように、ＬＥＤドライバ回路は、抵抗１１０とＬＥＤモジュール１２０とを有しており、ライン電圧ＶＩＮが負荷電流ＩＬを供給するように印加されている。抵抗１１０の抵抗値は、ライン電圧ＶＩＮの最大値と、ＬＥＤモジュール１２０内のＬＥＤの最小電圧低下と最大定格電流との両方とに従って定められているだけでなく、ＬＥＤモジュールを保護するためにも定められている。しかし、従来技術のＬＥＤドライバ回路には２つの欠点がある。第１に、負荷電流ＩＬは、ライン電圧ＶＩＮと共に変化する。第２に、よりよい照明を実現するには、ＬＥＤモジュール１２０内の全てのＬＥＤは、平均が最大定格電流に近い集中した負荷電流の分布を有するように特に配列されていなければならず、これによってコストが増加することになる。
【０００４】
ＬＥＤ照明用途において、負荷電流をライン電圧とは無関係にするための１つの解決策は、スイッチング電源構成を利用することである。ＬＥＤドライバコントローラを有している従来技術のＬＥＤドライバ回路を示している図２を参照されたい。図２に示しているように、ＬＥＤドライバ回路は、図２に示しているＬＥＤドライバコントローラ２００と、ＮＭＯＳトランジスタ２０１と、インダクタ２０２と、ダイオード２０３と、抵抗２１0と、ＬＥＤモジュール２２０とを有している。
【０００５】
ＬＥＤドライバコントローラ２００は、ゲーティング信号ＶＧを生成して、電流検知信号ＶＣＳに応答してＮＭＯＳトランジスタ２０１を駆動し、電流検知信号ＶＣＳを調整し、それによってＬＥＤモジュール２２０の電流を調整するために使用される。しかし、この構成は、コストの問題のために、つまり小電力ＬＥＤ照明用途に対してはＬＥＤドライバコントローラ２００とインダクタ２０２が高価であるために、小電力用途には適切ではない。
【０００６】
小電力ＬＥＤ照明用途用のコストを低減するための１つの解決策は、ＬＤＯ（低ドロップアウト）レギュレータの使用である。ＬＤＯレギュレータを利用している従来技術のＬＥＤドライバ回路を示している図３を参照されたい。図３に示しているように、回路はＬＤＯレギュレータ３００と、抵抗３１０と、ＬＥＤモジュール３２０とを有している。ＬＤＯレギュレータ３００は、ライン電圧ＶＩＮにかかわらず調整された出力電圧ＶＯと、それによって調整された負荷電流ＩＬとを発生するように、ＬＥＤモジュレータ３２０と直列である。しかし、ライン電圧ＶＩＮは高電圧、たとえば２２０Ｖであるため、ＬＤＯレギュレータ３００は、低電圧工程よりも高価な高電圧工程によって製造された高電圧製品でなければならない。
【０００７】
前述の問題を考慮して、本発明は、負荷電圧を調整するための低コスト構成部品を使用している新規のＬＥＤドライバ回路を提案する。
【０００８】
本発明の１つの目的は、調整された負荷電流を供給するための小電力ＬＥＤ照明用途用の新規のＬＥＤドライバ回路を提案することである。
【０００９】
本発明の他の目的は、コスト効果のある解決策を提供するための小電力ＬＥＤ照明用途用の新規のＬＥＤドライバ回路を提案することである。
【００１０】
本発明のさらに他の目的は、トライアック保持電流用の電流経路もそれ自体が実現することができる小電力ＬＥＤ照明用途用の新規のＬＥＤドライバ回路を提案することである。
【課題を解決するための手段】
【００１１】
本発明の前述の目的を達成するために、新規のＬＥＤドライバ回路が提案され、回路は、電流調整回路と、トランジスタと、バイアスネットワークと、ＬＥＤモジュールと、バイパスネットワークとを有している。
【００１２】
電流調整回路は、トランジスタとバイアスネットワークとにそれぞれ結合されている第１の端部と、トランジスタに結合されている第２の端部と、バイパスネットワークに結合されている第３の端部とを有しており、第１の電流は第２の端部に流入し、第２の電流は第３の端部に流入し、第１の端部と第２の端部との間の電圧差は第１の電流と第２の電流との和が減少／増加すると増加／減少するように第１の電流と第２の電流の和に従って発生する。
【００１３】
トランジスタは、ＬＥＤモジュールに結合されている第１の端部と、電流調整回路の第１の端部に結合されている第２の端部と、電流調整回路の第２の端部に結合されている第３の端部とを有し、トランジスタの第３の端部から流出する電流はトランジスタの第２の端部と第３の端部との間の電圧差が増加／減少すると増加／減少する。
【００１４】
バイアスネットワークは、バイアス電流経路を実現するように、ＬＥＤモジュールに結合されている第１の端部と、トランジスタの第２の端部と電流調整回路の第１の端部とにそれぞれ結合されている第２の端部とを有している。
【００１５】
ＬＥＤモジュールは、少なくとも１つのＬＥＤと少なくとも２つの接続ノードとを有しており、ＬＥＤモジュールの一方の端部のノードはライン電圧とバイパスネットワークとにそれぞれ結合されており、ＬＥＤモジュールの他方の端部のノードはトランジスタの第１の端部に結合されており、接続ノードの１つはバイアスネットワークの第１の端部に結合されている。
【００１６】
バイパスネットワークは、バイパス電流経路を実現するように、ライン電圧に結合されている第１の端部と、電圧調整回路の第３の端部に結合されている第２の端部とを有している。
【００１７】
本発明のＬＥＤドライバ回路の動作時には、トランジスタが電流調整回路によって制御されている状態で、第１の電流と第２の電流の和が所定の値に従って調整されることになる。
【００１８】
審査官が本発明の目的、その構造、新規の特徴、および性能をより容易に理解できるようにするために、本発明を詳細に説明するために、添付の図面と共に好ましい実施形態を使用する。
【図面の簡単な説明】
【００１９】
【図１】従来技術のＬＥＤドライバ回路の図である。
【図２】従来技術の他のＬＥＤドライバ回路の図である。
【図３】従来技術のさらに他のＬＥＤドライバ回路の図である。
【図４】本発明の好ましい実施形態の新規のＬＥＤドライバ回路のブロック図である。
【図５】本発明の好ましい実施形態の新規のＬＥＤドライバ回路の回路図である。
【図６】本発明の他の好ましい実施形態の新規のＬＥＤドライバ回路の回路図である。
【図７】本発明のさらに他の好ましい実施形態の新規のＬＥＤドライバ回路の回路図である。
【図８】本発明のさらに他の好ましい実施形態の新規のＬＥＤドライバ回路の回路図である。
【発明を実施するための形態】
【００２０】
本発明を本発明の好ましい実施形態を示している添付の図面を参照して以降でより詳細に説明する。
【００２１】
図４を参照すると、本発明の好ましい実施形態の新規のＬＥＤドライバ回路のブロック図を示している。図４に示しているように、ＬＥＤドライバ回路は電流調整回路４００と、トランジスタ４１０と、抵抗４１１と、ＬＥＤモジュール４２０と、抵抗４３０とを有している。
【００２２】
電流調整回路４００は、トランジスタ４１０と抵抗４１１とにそれぞれ結合されている第１の端部と、トランジスタ４１０に結合されている第２の端部と、抵抗４３０に結合されている第３の端部とを有しており、第１の電流ＩＬ１は第２の端部に流入し、第２の電流ＩＢＹＰＡＳＳは第３の端部に流入し、第１の端部と第２の端部との間の電圧差ＶＣＮＴＬは第１の電流ＩＬ１と第２の電流ＩＢＹＰＡＳＳとの和が減少／増加すると増加／減少するように第１の電流ＩＬ１と第２の電流ＩＢＹＰＡＳＳの和に従って発生する。
【００２３】
高電圧トランジスタであるトランジスタ４１０は、ＬＥＤモジュール４２０に結合されている第１の端部と、電流調整回路４００の第１の端部に結合されている第２の端部と、電流調整回路４００の第２の端部に結合されている第３の端部とを有し、トランジスタ４１０の第３の端部から流出するＩＬ１に等しい電流はトランジスタの第２の端部と第３の端部との間の、ＶＣＮＴＬに等しい電圧差が増加／減少すると増加／減少する。
【００２４】
バイアスネットワークとして動作する抵抗４１１は、バイアス電流経路を実現するように、ＬＥＤモジュール４２０に結合されている第１の端部と、トランジスタ４１０の第２の端部と電流調整回路４００の第１の端部とにそれぞれ結合されている第２の端部とを有している。
【００２５】
ＬＥＤモジュール４２０は、少なくとも１つのＬＥＤと少なくとも２つの接続ノードＡ１、Ａ２、Ａ３〜Ａｎとを有しており、ＬＥＤモジュール４２０の一方の端部のノードＡ１は、抵抗４３０とＡＣ電源から調整によって得られているライン電圧ＶＩＮとにそれぞれ結合されており、ＬＥＤモジュール４２０の他方の端部のノードＡｎはトランジスタ４１０の第１の端部に結合されており、接続ノードの１つ、たとえばＡ３は抵抗４１１の第１の端部に結合されている。当然、抵抗はＬＥＤモジュール４２０のいずれのノードにも結合することができる。
【００２６】
バイパスネットワークとして動作する抵抗４３０は、バイパス電流経路を実現するように、ライン電圧ＶＩＮに結合されている第１の端部と、電圧調整回路４００の第３の端部に結合されている第２の端部とを有している。当然、抵抗４３０は本発明の必要な構成要素ではなく、つまり、本発明の回路は抵抗４３０なしに動作することもできる。
【００２７】
本発明のＬＥＤドライバ回路の動作時には、トランジスタ４１０が電流調整回路４００によって制御されている状態で、第１の電流ＩＬ１と第２の電流ＩＢＹＰＡＳＳの和が所定の値に従って調整されることになる。ライン電圧ＶＩＮの変動、たとえば２２０Ｖから２４０Ｖへの変化に起因する第１の電流ＩＬ１の平均電流の変動は、抵抗４３０を流れる第２の電流ＩＢＹＰＡＳＳのバイパス効果によって減少させることができる。それ以外にも、ライン電圧ＶＩＮが壁の減光器内のトライアック回路から供給される場合、トライアックのチャネル電流が保持電流以下に下降するとトライアックはオフになるが、抵抗４１１は、トライアックをオンのままに保持するためのトライアック保持電流経路を実現することもできる。そのため、本発明のＬＥＤドライバ回路は、従来のトライアック減光用途における蛍光灯モジュールに対しても互換性がある、つまり、トライアック回路を使用している壁の減光器によって制御されている蛍光灯モジュールをトライアック回路と共に良好に動作する本発明のＬＥＤドライバ回路に置き換えることができる。
【００２８】
電流調整回路４００とトランジスタ４１０とを実装するためのさまざまな実施形態がある。図５〜８の回路は例であって、他の多くの構成が可能である。
【００２９】
図５を参照すると、本発明の好ましい実施形態の新規のＬＥＤドライバ回路の回路図を示している。図５に示しているように、ＬＥＤドライバ回路は抵抗５０１と、シャントレギュレータ５０２と、抵抗５０３と、キャパシタ５０４と、ツェナーダイオード５０５と、キャパシタ５０６と、ＮＭＯＳトランジスタ５１０と、抵抗５１１と、ＬＥＤモジュール５２０と、抵抗５３０とを有している。
【００３０】
抵抗５０１は、電流ＩＬ（＝ＩＬ１＋ＩＢＹＰＡＳＳ）に応じて電流検知電圧ＶＣＳを生成するために使用される。
【００３１】
シャントレギュレータ５０２は電流検知電圧ＶＣＳに結合されている入力端部と、ＮＭＯＳトランジスタ５１０のゲート端子に結合されている出力端部とを有しており、出力端部の位置の電圧は、電流検知電圧ＶＣＳと基準電圧（シャントレギュレータ５０２内部で供給される）との差の反転増幅である。
【００３２】
抵抗５０３とキャパシタ５０４とは、シャントレギュレータ５０２の周波数補償のために使用される。
【００３３】
ツェナーダイオード５０５は、シャントレギュレータ５０２を保護するために使用され、キャパシタ５０６は、ＮＭＯＳトランジスタ５１０のゲート端子の位置で安定したバイアス電圧を発生させるためにシャントレギュレータ５０２と共に使用される。
【００３４】
高電圧エンハンスメントモードＮＭＯＳトランジスタであるＮＭＯＳトランジスタ５１０は、ＮＭＯＳトランジスタ５１０のゲート端子とソース端子との間の電圧差ＶＣＮＴＬに従ってＩＬ１を供給するために使用される。
【００３５】
抵抗５１１と、ＬＥＤモジュール５２０と、抵抗５３０との機能は、図４の抵抗４１１と、ＬＥＤモジュール４２０と、抵抗４３０と同じであるので、それらについて詳細には説明しない。
【００３６】
動作中は、シャントレギュレータ５０２は、電流検知電圧ＶＣＳを調整するように、電流検知電圧ＶＣＳと基準電圧（シャントレギュレータ５０２内部で供給される）との差に応答してＶＣＮＴＬの電圧を変化させ、それによって電流ＩＬ１を変化させることになる。つまり、ＩＬ１の電流は、ＶＣＳが基準電圧よりも高い（低い）場合には、この負帰還機構によって減少（増加）することになる。
【００３７】
図６を参照すると、本発明の他の好ましい実施形態の新規のＬＥＤドライバ回路の回路図を示している。図６に示しているように、ＬＥＤドライバ回路は抵抗６０１と、シャントレギュレータ６０２と、抵抗６０３と、キャパシタ６０４と、キャパシタ６０６と、ＮＰＮトランジスタ６１０と、抵抗６１１と、ＬＥＤモジュール６２０と、抵抗６３０とを有している。
【００３８】
抵抗６０１は、負荷電流ＩＬ（＝ＩＬ１＋ＩＢＹＰＡＳＳ）に応じて電流検知信号ＶＣＳを生成するために使用される。
【００３９】
シャントレギュレータ６０２は電流検知電圧ＶＣＳに結合されている入力端部と、ＮＰＮトランジスタ６１０のベース端子に結合されている出力端部とを有しており、出力端部の位置の電圧は、電流検知電圧ＶＣＳと基準電圧（シャントレギュレータ６０２内部で供給される）との差の反転増幅である。
【００４０】
抵抗６０３とキャパシタ６０４とは、シャントレギュレータ６０２の周波数補償のために使用される。
【００４１】
キャパシタ６０６は、ＮＰＮトランジスタ６１０のベース端子の位置で安定したバイアス電圧を発生するために使用されている。
【００４２】
高電圧ＮＰＮトランジスタであるＮＰＮトランジスタ６１０は、ＮＰＮトランジスタ６１０のベース端子とエミッタ端子との間の電圧差ＶＣＮＴＬに従ってＩＬ１を供給するために使用される。
【００４３】
抵抗６１１と、ＬＥＤモジュール６２０と、抵抗６３０との機能は、図４の抵抗４１１と、ＬＥＤモジュール４２０と、抵抗４３０と同じであるので、それらについて詳細には説明しない。
【００４４】
動作中は、シャントレギュレータ６０２は、電流検知電圧ＶＣＳを調整するために、電流検知電圧ＶＣＳと基準電圧（シャントレギュレータ６０２内部で供給される）との差に応答してＶＣＮＴＬの電圧を変化させ、それによって電流ＩＬ１を変化させることになる。つまり、ＩＬ１の電流は、ＶＣＳが基準電圧よりも高い（低い）場合には、この負帰還機構によって減少（増加）することになる。
【００４５】
図７を参照すると、本発明のさらに他の好ましい実施形態の新規のＬＥＤドライバ回路の回路図を示している。図７に示しているように、ＬＥＤドライバ回路は抵抗７０１と、ＬＤＯレギュレータ７０２と、ツェナーダイオード７０５と、キャパシタ７０６と、ＮＭＯＳトランジスタ７１０と、抵抗７１１と、ＬＥＤモジュール７２０と、抵抗７３０とを有している。
【００４６】
抵抗７０１は、ＬＤＯレギュレータ７０２の出力電圧ＶＯに応答して、電流ＩＬ（＝ＩＬ１＋ＩＢＹＰＡＳＳ）を生成するように、電圧から電流への変換器として使用されている。
【００４７】
ＬＤＯレギュレータ７０２は、ＮＭＯＳトランジスタ７１０に結合されている入力端部と、抵抗７０１と抵抗７３０とに結合されている出力端部とを有しており、出力端部の位置での電圧ＶＯは一定の値に調整されている。そのため、ＩＬ（＝ＩＬ１＋ＩＢＹＰＡＳＳ）は一定の値に調整される。
【００４８】
ツェナーダイオード７０５とキャパシタ７０６とは、ＮＭＯＳトランジスタ７１０のゲート端子の位置で安定したバイアス電圧を発生するために使用される。
【００４９】
高電圧エンハンスメントモードＮＭＯＳトランジスタであるＮＭＯＳトランジスタ７１０は、ＮＭＯＳトランジスタ５１０のゲート端子とソース端子との間の電圧差ＶＣＮＴＬに従ってＩＬ１を供給するために使用される。
【００５０】
抵抗７１１と、ＬＥＤモジュール７２０と、抵抗７３０との機能は、図４の抵抗４１１と、ＬＥＤモジュール４２０と、抵抗４３０と同じであるので、それらについて詳細には説明しない。
【００５１】
動作中は、ＬＤＯレギュレータ７０２は、ＶＯを調整するために、ＶＣＮＴＬの電圧変化させ、それによってＩＬ１の電流変化させることになる。つまり、電流ＩＬ１は、ＶＯの電圧が基準電圧よりも高い（低い）場合には、この負帰還機構によって減少（増加）することになる。
【００５２】
図８を参照すると、本発明のさらに他の好ましい実施形態の新規のＬＥＤドライバ回路の回路図を示している。図８に示しているように、ＬＥＤドライバ回路は抵抗８０１と、ＬＤＯレギュレータ８０２と、ツェナーダイオード８０５と、キャパシタ８０６と、ＮＰＮトランジスタ８１０と、抵抗８１１と、ＬＥＤモジュール８２０と、抵抗８３０とを有している。
【００５３】
抵抗８０１は、ＬＤＯレギュレータ８０２の出力電圧ＶＯに応答して、電流ＩＬ（＝ＩＬ１＋ＩＢＹＰＡＳＳ）を生成するように、電圧から電流への変換器として使用されている。
【００５４】
ＬＤＯレギュレータ８０２は、ＮＰＮトランジスタ８１０に結合されている入力端部と、抵抗８０１と抵抗８３０とに結合されている出力端部とを有しており、出力端部の位置での電圧ＶＯは一定の値に調整されている。そのため、ＩＬ（＝ＩＬ１＋ＩＢＹＰＡＳＳ）は一定の値に調整される。
【００５５】
ツェナーダイオード８０５とキャパシタ８０６とは、ＮＰＮトランジスタ８１０のベース端子の位置で安定したバイアス電圧を発生するために使用される。
【００５６】
高電圧ＮＰＮトランジスタであるＮＰＮトランジスタ８１０は、ＮＰＮトランジスタ８１０のベース端子とエミッタ端子との間の電圧差ＶＣＮＴＬに従ってＩＬ１を供給するために使用される。
【００５７】
抵抗８１１と、ＬＥＤモジュール８２０と、抵抗８３０との機能は、図４の抵抗４１１と、ＬＥＤモジュール４２０と、抵抗４３０と同じであるので、それらについて詳細には説明しない。
【００５８】
動作中は、ＬＤＯレギュレータ８０２は、ＶＯを調整するために、ＶＣＮＴＬの電圧を変化させ、それによってＩＬ１の電流を変化させることになる。つまり、電流ＩＬ１は、ＶＯの電圧が基準電圧よりも高い（低い）場合には、この負帰還機構によって減少（増加）することになる。
【００５９】
前述の明細書からわかるように、本発明の新規のＬＥＤドライバ回路の実装は、負荷電流を調整できるだけでなく、トライアック保持電流経路を実現することもできる。それ以外にも、本発明のトランジスタは、高電圧エンハンスメントモードＮＭＯＳトランジスタまたは高電圧ＮＰＮトランジスタを使用して実装されているため、トランジスタの下流の電流調整回路は、製造コストを削減するために低電圧部品を使用して実装することができる。そのため、本発明は、従来技術のＬＥＤドライバ回路を改良する。
【００６０】
本発明を例を用いて、そして好ましい実施形態に関して説明してきたが、当然、本発明はそれらには限定されていない。逆に、様々な修正および同様な構成と手順を網羅することを意図しており、端部の請求項の範囲は、そのような修正および同様な構成と手順を含むように、最も広い解釈を与えなければならない。
【００６１】
前述の説明を要約すると、本明細書の本発明は、従来の構造よりも性能を向上させ、さらに特許出願要件に合致し、審査と相応な特許権の付与のために特許庁に提出される。
【図１】
2012039069.tif 000003
【図２】
2012039069.tif 000004
【図３】
2012039069.tif 000005
【図４】
2012039069.tif 000006
【図５】
2012039069.tif 000007
【図６】
2012039069.tif 000008
【図７】
2012039069.tif 000009
【図８】
2012039069.tif 000010